(57)【要約】【課題】  練習者毎の体型や練習しようとするスイング体勢に極めて容易に適応させることのできるゴルフスイング矯正具の提供。【解決手段】  ゴルフ練習者の胴体に巻くようにして保持される帯状の保持体と、該保持体に摺動自在に支持されるとともに、ゴルフ練習者の胴部前方に向けて突出してゴルフ練習者の特定のゴルフスイング動作においてゴルフ練習者の腕に当接可能な当接体とを有し、該当接体は保持体の長手方向に沿って摺動させることでその突出量を調節可能に構成されているゴルフスイング矯正具。【選択図】  図１
2009106451.tif 000002
【特許請求の範囲】
【請求項１】
ゴルフ練習者の胴体に巻くようにして保持される帯状の保持体と、該保持体に摺動自在に支持されるとともに、ゴルフ練習者の胴部前方に向けて突出してゴルフ練習者の特定のゴルフスイング動作においてゴルフ練習者の腕に当接可能な当接体とを有し、該当接体は保持体の長手方向に沿って摺動させることでその突出量を調節可能に構成されていることを特徴とするゴルフスイング矯正具。
【請求項２】
当接体は皮革から形成されて、保持体に形成された複数のスリット間に、前記保持体の前後に潜らせるように設けられていることを特徴とする請求項１記載のゴルフスイング矯正具。
【請求項３】
保持体の長手方向途中に、保持体の長手方向に沿って移動可能な環状部材が複数設けられ、当接体は皮革から形成されて、保持体の前側で環状部材間に潜らせるようにして設けられていることを特徴とする請求項１記載のゴルフスイング矯正具。
【請求項４】
当接体における保持体の長手方向端部が、保持体に着脱自在に固定されていることを特徴とする請求項１ないし請求項３の何れかに記載のゴルフスイング矯正具。
【発明の詳細な説明】
【技術分野】
【０００１】
本発明は、ゴルフスイングを矯正するための矯正具に関し、特にゴルフスイングにおけるインパクト体勢（「インパクトゾーン」ともいう）を矯正するための矯正具に関する。
【背景技術】
【０００２】
従来から、ゴルフ練習者の身体に装着してゴルフスイングを矯正するための技術が種々提案されている（例えば、特許文献１参照）。
これは、ゴルフ練習者（以下「練習者」という）の手と体（腕と胴体）の動きが一体化していないゴルフスイングを矯正することを目的として、練習者の胴体に巻くベルトと、ベルトに取付けられる板状体と、板状体に取付けられる棒状ガイドと、棒状ガイドに取付けられる間隔保持具とを有している。
この矯正具では、板状体に棒状ガイドを取付け、棒状ガイドに間隔保持具を取付けてベルトを胴体に巻き、間隔保持具に、使用するクラブのグリップ（グリップエンド）を螺合するようにして取付ける。そして、クラブのグリップを把持してスイングをすれば、クラブは棒状ガイドに案内されて、練習者はゴルフスイングの重要な基礎技術である振子運動を体得するようになる、というものである。
【特許文献１】特開２００５−２７８８３０号公報
【発明の開示】
【発明が解決しようとする課題】
【０００３】
ところで、当然に練習者はその体型が異なる。しかしながら、上記従来の矯正具では、練習者毎の体型や練習しようとするスイング体勢に合わせて、棒状ガイドの交換や間隔保持具の交換をしなければならないことが考えられ、このような作業は面倒である。
【０００４】
そこで本発明は、練習者毎の体型や練習しようとするスイング体勢に極めて容易に適応させることのできるゴルフスイング矯正具の提供を目的とする。
【課題を解決するための手段】
【０００５】
本発明のゴルフスイング矯正具は、ゴルフ練習者の胴体に巻くようにして保持される帯状の保持体と、該保持体に摺動自在に支持されるとともに、ゴルフ練習者の胴部前方に向けて突出してゴルフ練習者の特定のゴルフスイング動作においてゴルフ練習者の腕に当接可能な当接体とを有し、該当接体は保持体の長手方向に沿って摺動させることでその突出量を調節可能に構成されていることを特徴としている。
【０００６】
上記構成において、ゴルフ練習者がゴルフスイング動作をした際、そのゴルフスイング動作のうち所定のゴルフスイング動作としてインパクト体勢となった場合に当接体がゴルフ練習者の腕に当たるように、当接体を保持体の長手方向に沿って移動させ変形させて突出部分を形成することで、ゴルフ練習者の体型、ゴルフクラブの種類に合わせてその突出量、胴周りの突出位置を調節する。当接体がゴルフ練習者の腕に当たった感触により、ゴルフ練習者には、腰を回転させるタイミングを知ることが可能となる。
そして、当接体はこれを保持体の長手方向に沿って移動させて突出部分を形成するという極めて簡単な作業によって、ゴルフ練習者の体型に合わせて当接体の突出量、胴周りの突出位置を調節することができる。
【０００７】
本発明のゴルフスイング矯正具では、当接体は皮革から形成されて、保持体に形成された複数のスリット間に、前記保持体の前後に潜らせるように設けられていることを特徴としている。
このように、当接体を皮革から形成することにより、当接体の突出部分に適度な硬度と弾性が付与されるから、ゴルフ練習者の腕が当接した際にその感覚がわかり易く、しかもゴルフ練習者の腕が当接し終えた後には突出部分が弾性復元し易くなる。
また、何れか隣合うスリット間で皮革の当接体を保持体の長手方向に沿って移動させることで、当接体の突出量および胴周り位置を、ゴルフ練習者の体型に合わせて容易に調節することができる。
【０００８】
本発明のゴルフスイング矯正具では、保持体の長手方向途中に、保持体の長手方向に沿って移動可能な環状部材が複数設けられ、当接体は皮革から形成されて、保持体の前側で環状部材間に潜らせるようにして設けられていることを特徴としている。
上記構成において、何れか隣合う環状部材間で皮革の当接体を保持体の長手方向に沿って移動させることで、当接体の突出量および胴周り位置を、ゴルフ練習者の体型、ゴルフクラブの種類に合わせて容易に調節することができる。
環状部材としては、保持体の途中に該保持体を外装するよう設けられる環状部材や、保持体を潜らせるようにして保持体に支持される、いわゆるＤ環と称される環状部材を含む概念である。
【０００９】
本発明のゴルフスイング矯正具では、当接体における保持体の長手方向端部が、保持体に着脱自在に固定されていることを特徴としている。
上記構成のように、当接体における保持体の長手方向端部が、保持体に固定されていることにより、当接体を変形させて突出部分を形成する際に、ゴルフ練習者が当接体の端部を押える手間がなくなり、その分だけ当接体を変形させるのが容易となり、突出部分の位置や突出量によって端部の位置を変更する際には、当接体の端部を保持体から外すことで、突出部分の位置や突出量を容易に変更することが可能になる。
【００１０】
また、保持体は胴体全周に巻回する帯体、もしくは弾性を有して胴体の全周に至らずしかも胴体周りの半分以上に亘って装着される帯体であってもよい。
【発明の効果】
【００１１】
本発明のゴルフスイング矯正具によれば、当接体を保持体に摺動自在に支持して、当接体を保持体の長手方向に沿って摺動させることで前方に突出する突出部分を形成し、さらに当接体を保持体の長手方向に沿って摺動させることで突出部分の突出量を調節可能に構成しているから、当接体を保持体に摺動させるという簡単な作業で、容易にゴルフ練習者の体型、練習に用いるゴルフクラブの種類毎に合致したゴルフスイング矯正具とすることができる。
【発明を実施するための最良の形態】
【００１２】
以下、本発明の実施形態に係るゴルフスイング矯正具（以下単に「矯正具」という）を、図面に基づいて説明する。図１は本発明の第一の実施形態を示すゴルフスイング矯正具の使用状態を示す斜視図、図２は、ゴルフスイング矯正具の単体斜視図である。
図１に示すように、矯正具１は、練習者２の胴体３周りに装着して、特にゴルフスイングにおけるインパクト体勢を矯正するためのものである。なお、インパクトとは、クラブ４（クラブヘッド）でゴルフボール５を打つ瞬間のことであり、したがってインパクト体勢とは、インパクトの際の練習者２の体勢のことをいう。
なお、ゴルフスイングは、ダウンスイング、インパクト、フォロースイングの連続であり、それぞれの姿勢の練習に応じて用いるゴルフクラブの種類が異なる。
【００１３】
矯正具１は、練習者２の胴体３全体に巻くようにして保持される帯状の保持体６を備える。保持体６は、ナイロン等を織物として形成した生地によって帯状に形成されており、各帯端部６ａ，６ｂに、面ファスナ１０のフック面とループ面の何れかが貼着や縫着によって固定されている。面ファスナ１０の、保持体６における長手方向長さは、保持体６を胴体３に装着する練習者２の体型に適応できるようある程度の長さを確保した形態で帯端部６ａ，６ｂに設けられている。あるいは、帯端部６ａ，６ｂに保持体６の長さが調節できる形態で、不図示のバックルを設けるようにしてもよい。
保持体６の長手方向途中には、複数のスリット１１（図では六対で十二本）、すなわち切込みが形成されている。各スリット１１は長手方向に直交する方向に形成されており、組とする一対のスリット１１の間隔は、組にしたスリット１１どうしの間隔に比べて狭く設定されている。これらスリット１１は切込みであるから、保持体６を貫通している。
なお、保持体６の幅は、保持体６を胴体３に装着した際にできるだけ違和感が生じないように狭く設定（例えば５ｃｍ程度より小さい）することが好ましい。
【００１４】
矯正具１は当接体１２を有する。当接体１２は帯状に形成されており、保持体６に摺動自在に支持される。当接体１２は所定の硬度および弾性を確保すべく皮革によって形成されており、当接体１２の長手方向途中を、各スリット１１を保持体６の表裏から順に潜らせるようにして当接体１２の長手方向端部１２ａ，１２ｂが、保持体６の前面に倣って沿うように設けられている。もしくは、保持体６の前面および当接体１２の長手方向端部１２ａ，１２ｂの裏面に、不図示の面ファスナ等の着脱手段を設け、この着脱手段によって当接体１２の長手方向端部１２ａ，１２ｂが保持体６の前面に着脱自在に固定されている。
【００１５】
各スリット１１を保持体６の表裏から順に潜らせるとは、具体的には、組間のスリット１１においては、当接体１２は保持体６の前面側に位置し、組にしたスリット１１の間においては、当接体１２は保持体６の背面側に位置するように平面視して蛇行させた状態である。
当接体１２の固定された長手方向端部１２ａ，１２ｂ間の、保持体６に沿う長手方向距離に比べて、当接体１２自体の長手方向距離は長く設定されている。すなわち、何れの組間のスリット１１からでも、当接体１２の長手方向途中部分が前方に凸となるよう突出部１３を形成可能となっている。
なお、保持体６に摺動自在に支持されるとは、保持体６に形成されているスリット１１を当接体１２が潜るよう設けられて、スリット１１を前後方向に移動して通過させることが可能であるということであり、このように、練習者２の前方に当接体１２の一部を突出させるようにすることで、突出部１３を形成させ得る。
【００１６】
突出部１３の形成方法を詳述すれば、例えば特定の、組にしたスリット１１ａ，１１ｂ間で突出部１３を形成する場合では、その組のスリット１１ａ，１１ｂ間に当接体１２を集めるようにすればよい。そして突出部１３を形成するのに必要な当接体１２の領域以外の領域は、できるだけ保持体６に沿わすように、且つ保持体６の前後に突出しないように保持体６に沿って延ばしておく。また、突出部１３の突出量の調節（例えば、最大高さ３００ｍｍ）に際しては、突出部１３を形成するのに必要な当接体１２の領域以外の領域を、突出部１３に寄せるようにすることで可能となる。なお、矯正具１を練習者２がその胴体３に巻くのは、突出部１３を形成してからでもよいし、予め矯正具１を練習者２がその胴体３に巻いてから、練習者２がその手指で突出部１３を形成するようにしてもよい。
そして、このような突出部１３は、何れの組のスリット１１間においても上記のようにして形成可能である。また、矯正具１を胴体３に装着するには、面ファスナ１０のフック面とループ面とを係止させることで極めて容易に行うことができる。
【００１７】
矯正具１の使用に際しては、突出部１３が所望の位置に来るように、胴体３に矯正具１を巻く。所望の位置とは、ゴルフスイングにおけるダウンスイング、インパクト体勢、フォロースイングを矯正するためには、クラブ４でゴルフボール５を打つ瞬間に練習者２の腕１４が突出部１３に当たる位置である。インパクト体勢では、練習者２の腕１４が突出部１３に当たったタイミングを、練習者２が腰部を回転させるタイミングとすることが好ましい。そして、インパクト体勢において、ゴルフボールの飛距離を長くしたい場合の練習では、右利きの練習者の右腕２ａが突出部１３に当たり、ゴルフボールの飛距離を長くしないときは、左腕２ｂが突出部１３に当たるようにするとよい。
なお、突出部１３は、練習者２の腕１４がインパクト体勢において当たった後に、練習者２がさらに次のスイングに移ることでしばらくは腕１４の動きに伴うようにその基部を中心に弾性変形し、さらに腕１４が突出部１３から離脱することで変形は解除され、弾性によってもとの位置に復元する。
【００１８】
また、用いるクラブ４や飛距離に応じたインパクト体勢の種類や練習者２の体型によって、突出部１３の突出量を調節することが必要な場合がある。突出部１３の突出量が多くなる（突出部１３が高くなる）ように調節するには、当接体１２の一部を特定の組のスリット１１ａ，１１ｂ間に寄せるようにし、突出部１３の突出量が少なくなる（突出部１３が低くなる）ように調節するには、当接体１２をその長手方向端部１２ａ，１２ｂ側へずらすようにする。このようにすることで、ゴルフスイングの種類や練習者２の体型に応じて突出部１３の突出量、さらに突出位置を、手指の簡単な作業で容易に調節することができる。
あるいは、場合によっては突出部１３を複数形成してこれら突出部１３に腕１４が当たるタイミングを目安として正しいインパクト体勢をとるようにすることも可能である。
【００１９】
図３は第二の実施形態を示す矯正具１の単体図である。これは、上記実施形態において保持体６にスリット１１を形成した代わりに、保持体６に当接体挿通用の環状部材２０を複数個、摺動自在に挿通している。また、保持体６を皮革から帯状に形成している。
保持体６の前面側で環状部材２０に当接体１２が挿通されて、環状部材２０間で突出部１３を形成できるように構成されている。なお、保持体６を胴体３に固定するために、この実施形態では通常のベルトに設けられているバックル２１を用いている。バックル２１を設けた反対側の長手方向端部には、サイズ調節用の孔（符号省略）が形成されている。
環状部材２０は、環状部材２０間に当接体１２による突出部１３を形成した際にも突出部１３の弾性によって容易には離間しないように保持体６に外装されている。
【００２０】
この構成の矯正具１によれば、隣合う環状部材２０間の距離を調節したうえで、その環状部材２０間に当接体１２の途中部分を寄せるようにすることで突出部１３を形成するようにする。その突出部１３は、スイングの種類や練習者２の体型に合わせて突出量を調節可能である。
さらに、環状部材２０は保持体６に沿って摺動自在であるから、突出部１３の保持体６側の左右幅を自在に調節することができるという利点がある。この構成により、突出部１３の形状を安定させることができる。
【００２１】
図４は、さらに別の第三の実施形態を示す矯正具１の単体図である。これは図３で示した矯正具１において、環状部材２０の代わりにＤ環２２を用いている。Ｄ環２２とは、扁平な厚みのフレーム状の本体２３の長手方向途中に、一本ないし複数本の渡し杆２４が設けられたものである。この実施形態では渡し杆２４は一本の場合を示している。保持体６は、渡し杆２４の前側から本体２３の左右両フレーム部２５においてはその裏側を潜らせることで渡し杆２４を保持体６の長手方向に摺動自在に保持している。
さらに、当接体１２は上記各実施形態に比べてその長手方向長さが短いものを用いており、当接体１２の長手方向端部１２ａ，１２ｂ側は保持体６とＤ環２２の本体２３のフレーム部２５との間を潜らせており、当接体１２の途中領域を、突出部１３を形成する領域として渡し杆２４の前側に位置するように、当接体１２を保持体６とＤ環２２とによって保持している。他の構成、すなわち保持体６の構成は、図３で示したものと同様であるので、同一の符号を付してその説明を省略する。
この構成においては、Ｄ環２２を保持体６の長手方向に摺動させるといった動作によって突出部１３もＤ環２２に伴って移動されるから、極めて簡単な手指の動作によって突出部１３の位置を練習者２の体型に合わせて調節することができる。
なお、Ｄ環２２を保持体６に複数設け、Ｄ環２２の数だけ当接体１２を設けて、場合に応じて何れの当接体１２を用いるか選択することも可能である。
【００２２】
上記何れの実施形態においても、当接体１２は帯状の皮革製としたが、これに限定されるものではなく、突出部１３を形成した際にその形状を維持し得る材質であればよい。また、帯状の当接体１２の隅部に面取りを施してもよい。このようにすることで、例えばインパクト体勢において練習者２の腕１４に突出部１３が当たり、あるいは擦れた際にでも安全性を確保することができる。
【００２３】
保持体６は、第一の実施形態ではナイロン等を織物として形成した生地によって帯状に形成し、第二および第三の実施形態では皮革から帯状に形成して練習者２の胴体３周り全部を巻回する長さに設定した。しかしながら本発明はこれに限定されるものではく、保持体６を練習者２の胴体３周りの半分を超える長さの環状に形成し、且つ保持体６を硬質の合成樹脂で形成することも可能である。この場合では、保持体６はその弾性復元力によって練習者２の胴体３周りに装着保持することが可能になる。
当接体１２は練習者２がその腕１４に突出部１３が当接したことを感覚的に覚知でき、しかも弾性復元できる材質であれば皮革に限定されるものではなく、例えば合成ゴム等の合成樹脂、布地等であってもよい。
【００２４】
さらに、インパクト体勢では練習者２の腰はやや前かがみになるのが一般的である。このことを考慮して、当該インパクト体勢において突出部１３が略水平になるよう、保持体６に対して当接体１２を支持する構成とすることも好ましい。突出部１３の姿勢をこのようにすることで、突出部１３がいっそう明瞭に腕１４に当たる感触をえやすい。具体的には、例えば、第一の実施形態ではスリット１１の切込み方向を保持体６の長手方向に対して直交する方向ではなく、当該直交する方向に対して傾斜させることで可能になる。さらに具体的には、組にしたスリット１１ａ，１１ｂを下方が近付くように傾斜させるよう形成する。
このことは、第二の実施形態においては、隣合う一対の環部材においてその下部を、保持体６の長手方向に対して直交する方向ではなく、当該直交する方向に対して傾斜させることで可能になる。
第三の実施形態においては、左右両フレーム部２５においてその対向面２５ａの傾斜を、下方が近付くように傾斜させるよう形成することで可能になる。
さらに上記各実施形態では、インパクト体勢の使用例を説明したが、スイングにおける他の所定の体勢において、矯正具１を用いることも可能である。
【図面の簡単な説明】
【００２５】
【図１】本発明の第一の実施形態を示す矯正具の単体斜視図
【図２】同じく使用状態を示す説明図
【図３】本発明の第二の実施形態を示す矯正具の単体図
【図４】本発明の第三の実施形態を示す矯正具の単体図
【符号の説明】
【００２６】
１…矯正具、２…練習者、２ａ…右腕、２ｂ…左腕、３…胴体、４…クラブ、５…ゴルフボール、６…保持体、１０…面ファスナ、１１…スリット、１１ａ，１１ｂ…スリット、１２…当接体、１３…突出部、１４…腕、２０…環状部材、２２…Ｄ環、２３…本体、２５…フレーム部
【図１】
2009106451.tif 000003
【図２】
2009106451.tif 000004
【図３】
2009106451.tif 000005
【図４】
2009106451.tif 000006